(57)【要約】【課題】風呂の湯をタンクの水と熱交換したのち排水することで効率良く風呂の熱を貯湯タンクに熱交換することを目的とする。【解決手段】風呂循環回路の熱交換器４の下流側に一方を大気開放とした三方弁７を設け、三方弁７を熱交換器４と風呂５を連通するようにして循環ポンプ６と風呂ポンプ６を運転させ風呂５の湯の温度を下げるものとし、さらに三方弁７を熱交換器４と大気開放を連通するように切り替えることにより熱交換器４を通過し温度の下がった風呂の湯を前記風呂５に戻さないため熱交換する風呂５の湯温が低下しないため効率良くタンク１の水に風呂５の湯の熱回収ができる。【選択図】図１
2006105529.tif 000002
【特許請求の範囲】
【請求項１】
加熱手段で水を加熱し貯湯するタンクと、タンク下部の水を循環ポンプで熱交換器に導き、熱交換後前記タンクの略中央部に戻すタンク循環回路と、風呂の下部の湯を風呂ポンプで前記熱交換器に導き、熱交換後風呂に戻す風呂循環回路とを設け前記循環ポンプと風呂ポンプを運転することで、前記熱交換器でタンク循環回路と風呂循環回路の熱交換を行うもので、さらに前記風呂循環回路の熱交換器下流側に一方を大気開放とした三方弁を設け、前記三方弁を前記熱交換器と風呂を連通するようにして、前記循環ポンプと風呂ポンプを運転させ風呂湯の温度を下げるものとし、さらに前記三方弁を前記熱交換器と大気開放を連通するように切り替えて風呂の残り湯の熱をタンクの水に回収する貯湯式温水器。
【請求項２】
循環ポンプと風呂ポンプは吐出流量を可変することのできる請求項１記載の貯湯式温水器。
【発明の詳細な説明】
【技術分野】
【０００１】
本発明は、貯湯式温水器の熱交換構成に関し、特に、風呂熱回収を利用した技術に関するものである。
【背景技術】
【０００２】
従来、この種の貯湯式温水器で風呂熱回収できるものは、加熱手段で水を加熱し貯湯するタンクとタンク下部の水を循環ポンプで熱交換器に導き、熱交換後前記タンクの略中央部に戻すタンク循環回路と、風呂の下部の湯を風呂ポンプで前記熱交換器に導き、熱交換後風呂に戻す風呂循環回路とを設け前記循環ポンプと風呂ポンプを運転することで、前記熱交換器でタンク循環回路と風呂循環回路の熱交換を行うものであった（例えば、特許文献１参照）。
【０００３】
図２は、上記特許文献１に記載された従来の風呂の残り湯の熱をタンクの水に回収する貯湯式温水器である。
【０００４】
図２に示すように、タンク１１と、タンク下部１２と、循環ポンプ１３と、熱交換器１４と、風呂１５と、風呂ポンプ１６から構成されている。
【特許文献１】特開２００２−１９５６５１号公報
【発明の開示】
【発明が解決しようとする課題】
【０００５】
しかしながら、前記従来の構成では、風呂の下部の湯を風呂ポンプで熱交換器に導き、熱交換後風呂に戻す方式であるため熱交換後冷たくなった水を前記風呂に戻すので風呂の湯温が下がって熱交換効率が悪かった。
【０００６】
本発明は、前記従来の課題を解決するもので、風呂の下部の湯を風呂ポンプで熱交換器に導き、冷たくなった水は風呂に戻さず排水して風呂の温度が低下することを防止して高効率で風呂の残り湯の熱をタンクの水に回収する貯湯式温水器を提供することを目的とする。
【課題を解決するための手段】
【０００７】
前記従来の課題を解決するために、本発明の貯湯式温水器は、タンク循環回路と風呂循環回路とを設け、熱交換器で熱交換を行うもので前記風呂循環回路の熱交換器下流側に一方を大気開放とした三方弁を設け、前記三方弁を前記熱交換器と風呂を連通するようにして、前記タンク循環回路と前記風呂循環回路を運転させ風呂湯の温度を下げるものとし、さらに前記三方弁を前記熱交換器と大気開放を連通するように切り替えて風呂の残り湯の熱をタンクの水に回収する構成としたものである。
【発明の効果】
【０００８】
本発明の貯湯式温水器は、風呂循環回路の熱交換器下流側に一方を大気開放とした三方弁を設け、前記三方弁を前記熱交換器と風呂を連通するようにして、前記循環ポンプと風呂ポンプを運転させ風呂湯の温度を下げるものとし、さらに前記三方弁を前記熱交換器と大気開放を連通するように切り替えることにより、熱交換して冷たくなった水を大気に排水するため、風呂の湯温が低下せず効率良く風呂の残り湯の熱をタンクの水に回収することが出来る。
【発明を実施するための最良の形態】
【０００９】
第１の発明は、加熱手段で水を加熱し貯湯するタンクと、タンク下部の水を循環ポンプで熱交換器に導き、熱交換後前記タンクの略中央部に戻すタンク循環回路と、風呂の下部の湯を風呂ポンプで前記熱交換器に導き、熱交換後風呂に戻す風呂循環回路とを設け前記循環ポンプと風呂ポンプを運転することで、前記熱交換器でタンク循環回路と風呂循環回路の熱交換を行うもので、さらに前記風呂循環回路の熱交換器下流側に一方を大気開放とした三方弁を設け、前記三方弁を前記熱交換器と風呂を連通するようにして、前記循環ポンプと風呂ポンプを運転させ風呂湯の温度を下げるものとし、さらに前記三方弁を前記熱交換器と大気開放を連通するように切り替えて風呂の残り湯の熱をタンクの水に回収する構成としたことを特徴とするもので、熱回収後の冷たくなった水は風呂に戻さず大気に排水するため風呂の湯温が低下せず、効率良く風呂の残り湯の熱をタンクの水に回収することが出来る。
【００１０】
第２の発明は、循環ポンプと風呂ポンプは吐出流量を可変できるようにしたことを特徴とするもので、タンク循環回路と風呂循環回路の前記両ポンプを高速で回すと風呂湯の温度を下げるものとし、前記両ポンプを低速で回すと熱交換器の効率が良くなり効率良く風呂の残り湯のの熱をタンクの水に回収することが出来る。
【００１１】
以下、本発明の実施の形態について、図面を参照しながら説明する。なお、本実施の形態によって本発明が限定されるものではない。
【００１２】
（実施の形態１）
図１は、本発明の第１の実施の形態における風呂の残り湯の熱をタンクの水に回収する貯湯式温水器のシステム図である。
【００１３】
図１において、加熱手段で水を加熱し貯湯するタンク１と、タンク下部２の水を循環ポンプ３で熱交換器４に導き、熱交換後タンク１の略中央部に戻すタンク循環回路と、風呂５の下部の湯を風呂ポンプ６で熱交換器４に導き、前記タンク循環回路を流れる湯水と熱交換して風呂５に戻す風呂循環回路とを設け、循環ポンプ３と風呂ポンプ６を運転することで、熱交換器４でタンク循環回路と風呂循環回路の熱交換を行うもので、さらに風呂循環回路の熱交換器４の下流側に一方を大気開放とした三方弁７を設け、三方弁７を熱交換器４と風呂５を連通するようにして、循環ポンプ３と風呂ポンプ６を運転させ風呂５の温度を下げるものとし、さらに三方弁７を熱交換器４と大気開放を連通するように切り替えて、風呂５の残り湯の熱をタンク１の水に回収する構成としてある。
【００１４】
以上のように構成された貯湯式温水器について、以下その動作、作用を説明する。
【００１５】
本実施形態における貯湯式温水器は、入浴後の風呂５の浴槽水の熱量を回収し、タンク１の下部の低温水と熱交換することで風呂排熱を有効に利用するものであり、まず、循環ポンプ３を駆動させてタンク１の下部の低温水を熱交換器４を介してタンク１の中間部に戻すタンク循環回路内で循環させる。次に、風呂ポンプ６を駆動させ風呂５内の浴槽水を熱交換器４を介して風呂循環回路に流す。このとき、三方弁７を大気開放側に連通するように切り替えておき、風呂循環回路を流れる浴槽水を排水するようにする。これにより、熱交換器４でタンク１の低温水と熱交換され冷やされた浴槽水は風呂５に戻さず排水されるため、風呂５ないに残った浴槽水の温度を低下させることがなく、浴槽水の熱量を有効にタンク１の湯水側に回収することができる。
【００１６】
また、循環ポンプ３と風呂ポンプ６の運転速度を制御することで、効率的な風呂熱回収が可能となり、さらに高い効率が得られる。
【００１７】
さらに、熱交換器４を通過した後の浴槽水温度を検知する温度センサ８を設け、前記温度センサ８が所定温度を検知するまでは三方弁７を風呂５側に連通するように切り替えておき、前記温度センサ８が所定温度を下回ると三方弁７を大気開放側と連通するように切り替え、浴槽水を排水するように制御することで、浴槽水の熱量を有効に利用することが可能となる。
【産業上の利用可能性】
【００１８】
以上のように、本発明にかかる貯湯式温水器は、排熱を熱回収するとき熱交換して冷たくなった水は元のタンクには戻さず大気に開放するため高い効率で熱回収ができるので電気温水器や、ヒートポンプ給湯機等の用途にも適用できる。
【図面の簡単な説明】
【００１９】
【図１】本発明の実施の形態１のにおける貯湯式温水器のシステム図
【図２】従来の電気温水器のシステム図
【符号の説明】
【００２０】
１  タンク
２  タンク下部
３  循環ポンプ
４  熱交換器
５  風呂
６  風呂ポンプ
７  三方弁
【図１】
2006105529.tif 000003
【図２】
2006105529.tif 000004